(57)【要約】【課題】壁からの突出量を少なくして、シャワーホースと吐水口等が干渉し難くなる水栓を提供する。【解決手段】水栓本体２の下方に、カラン６に回転可能に接続された首振り吐水管８ａと、シャワーホース１４を接続するシャワーホース接続部Ｐ２が設けられた水栓１において、首振り吐水管８ａの接続部Ｐ１と、シャワーホース１４の接続部Ｐ２を同軸上に配置して構成する。【選択図】　　　　　　　　図１
2004107920.tif 000002
【特許請求の範囲】
【請求項１】
水栓本体の下方に、回転可能な首振り吐水管と、シャワーホースを接続するシャワーホース接続部が設けられてなる水栓において、前記首振り吐水管の回転軸部と、前記シャワーホース接続部を、同軸上に配置したことを特徴とする水栓。
【発明の詳細な説明】
【０００１】
【発明の属する技術分野】
この発明は、浴室に設置される水栓に関するものである。
【０００２】
【従来の技術】
従来、浴室に設置される水栓は、図４の斜視図で示すような構造となっており、水栓本体５２の左端には、湯と水を混合させて適温の湯とするための温調ハンドル５３が設けられ、水栓本体５２の右端には、流量を調節する流調ハンドル５４が設けられており、水栓本体５２から下方側へ垂下状に垂下管５５が設けられて、この垂下管５５の前面側に、吐水とシャワーを切り替える切替ハンドル５６が設けられ、垂下管５５から後方側へ向かってシャワーホース接続部５７が設けられ、このシャワーホース接続部５７にシャワーホース５８を接続できるように構成されており、また、垂下管５５の下端にはカラン５９が設けられ、このカラン５９に回転可能に首振り吐水管６０が接続されている（例えば、特許文献１参照。）。
【０００３】
【特許文献１】
特開平１１−１５８９５６号公報
【０００４】
【発明が解決しようとする課題】
従来のような水栓５１においては、シャワーホース５８と首振り吐水管６０が干渉して使い難い場合があり、また、首振り吐水管６０の後方側にシャワーホース接続部５７が設けられているため、浴室の壁面から洗い場側への突出量が大となり、水栓５１が突出して圧迫感があり、洗い場側で身体を洗う際等に動作の妨げになる場合があった。
【０００５】
【課題を解決するための手段】
本発明は、上記従来の問題点に鑑み案出したものであって、壁からの突出量を少なくでき、また、シャワーホースと吐水管の干渉を無くすことのできる水栓を提供せんことを目的とし、その要旨は、水栓本体の下方に、回転可能な首振り吐水管と、シャワーホースを接続するシャワーホース接続部が設けられてなる水栓において、前記首振り吐水管の回転軸部と、前記シャワーホース接続部を、同軸上に配置したことである。
【０００６】
【発明の実施の形態】
以下、本発明の実施例を図面に基づいて説明する。
図１は、浴室の壁面Ｗに設置された水栓の縦断面構成図であり、また図２は、図１の要部拡大断面構成図である。
浴室の壁面Ｗに固設された水栓１は、水栓本体２に、縦方向に温調ハンドル３と、切替ハンドル４が設けられ、温調ハンドル３を操作することにより、湯と水の混合量を調整して適温水とすることができるものであり、切替ハンドル４は、流量調整と、シャワー，吐水の切り替えを兼用するハンドルとなっている。
【０００７】
水栓本体２の下面側には、下方へ垂下状に垂下管５が形成され、この垂下管５と平行状に、水栓本体２から下方に向かってシャワー水路管７が垂設されており、シャワー水路管７の下端外周には、ネジ部７ａが形成されて、その上方外周には鍔部７ｂが突出形成されている。
このシャワー水路管７の外周には、シャワー水路管７よりも大径の吐水管本体８が同軸上に設けられている。即ち、この吐水管本体８は、前記垂下管５の下端に設けられたカラン６に袋ナット９を締め付けて、水平面内で回転可能に取り付けられるものであり、カラン６の内側と吐水管本体８の上端外周間には、Ｕパッキン１０が設けられて水密性が確保されている。
【０００８】
また、シャワー水路管７の鍔部７ｂの下部にも、外周にＵパッキン１１が設けられ、更にその下方にオーリング１２が外嵌されて、このＵパッキン１１及びオーリング１２により、シャワー水路管７の外周と吐水管本体８の下部内周間の水密性が確保されている。
シャワー水路管７の下端のネジ部７ａは、吐水管本体８の下端よりも下方へ突出して配置され、このネジ部７ａに袋ナット１３を介してシャワーホース１４が接続されるものである。このネジ部７ａと袋ナット１３でシャワーホース接続部Ｐ２が形成されている。
【０００９】
また、前記カラン６と袋ナット９で吐水管接続部（首振り吐水管の回転軸部）Ｐ１が形成されている。なお、吐水管本体８には、横方向へ延びる首振り吐水管８ａが形成されており、吐水管本体８から首振り吐水管８ａに連通して、内部に吐水側水路Ｒ１が形成されている。また、前記シャワー水路管７の内部は、シャワー側水路Ｒ２を形成している。
【００１０】
このような構成では、水栓本体２の下方に、吐水管接続部（首振り吐水管の回転軸部）Ｐ１と、シャワーホース接続部Ｐ２が同軸上に配置されており、そのため、従来よりも壁面Ｗからの突出量を少なくして、水栓１全体の厚みを薄く形成することができるものとなり、洗い場側への水栓１の突出量が少ないために、洗い場で身体を洗う等の行為をする際に、圧迫感がなく、動作の妨げになることがない。
また、首振り吐水管８ａを備えた吐水管本体８の下方に、シャワーホース１４が接続されるために、シャワーホース１４と首振り吐水管８ａが干渉し難くなり、使い勝手が良好なものとなる。
更には、浴室のタイプによって、Ｒ，Ｌで取付位置の違う場合でも同一の水栓１で対応でき、首振り吐水管８ａが首を振ることで、吐水位置の調整が容易なものとなる。
【００１１】
次に、図３は第２実施例を示すものであり、図３では、水栓本体２の下面から、吐水側水路Ｒ１を形成する垂下管５と、シャワー側水路Ｒ２を形成するシャワー水路管７が別々に垂設されており、シャワー水路管７の下部は、前方側へ折曲した折曲部７ｃを形成して、その下端のネジ部７ａが、前記垂下管５と同軸上に配置されており、ネジ部７ａはシャワーホース接続部Ｐ２を形成して、このネジ部７ａに袋ナット１３を介してシャワーホース１４を接続することができるものであり、また、その上方の垂下管５の下端には、袋ナット９を介して首振り吐水管８ａを接続することができるものである。
【００１２】
なお、吐水管接続部（首振り吐水管の回転軸部）Ｐ１とシャワーホース接続部Ｐ２の外周には、樹脂カバー１５が設けられて、樹脂カバー１５によりシャワー水路管７等は隠蔽された状態に設けられている。
このような構成においても、吐水管接続部Ｐ１とシャワーホース接続部Ｐ２が同軸上に配置されているため、シャワーホース１４と首振り吐水管８ａが干渉し難くなり、使い勝手が良好なものとなる。
【００１３】
【発明の効果】
本発明は、水栓本体の下方に、回転可能な首振り吐水管と、シャワーホースを接続するシャワーホース接続部が設けられてなる水栓において、首振り吐水管の回転軸部と、シャワーホース接続部を、同軸上に配置したことにより、吐水管とシャワーホースの取出し部のスペースを小さくでき、水栓全体を薄くすることができて、壁からの突出量を少なくでき、洗い場側で身体を洗う際等に圧迫感が生ずることなく、動作を妨げることがなくなる。
また、シャワーホースと首振り吐水管が干渉し難いものとなり、使い勝手が良好化する効果を有する。
【図面の簡単な説明】
【図１】第１実施例の水栓の縦断面構成図である。
【図２】図１における要部の拡大断面構成図である。
【図３】第２実施例の水栓の縦断面構成図である。
【図４】従来の水栓の斜視構成図である。
【符号の説明】
１　　水栓
２　　水栓本体
３　　温調ハンドル
４　　切替ハンドル
５　　垂下管
６　　カラン
７　　シャワー水路管
７ａ　　ネジ部
７ｂ　　鍔部
７ｃ　折曲部
８　　吐水管本体
８ａ　　首振り吐水管
９　　袋ナット
１０，１１　　Ｕパッキン
１２　　オーリング
１３　　袋ナット
１４　　シャワーホース
１５　　樹脂カバー
Ｐ１　　吐水管接続部（首振り吐水管の回転軸部）
Ｐ２　　シャワーホース接続部
Ｒ１　　吐水側水路
Ｒ２　　シャワー側水路
【図１】
2004107920.tif 000003
【図２】
2004107920.tif 000004
【図３】
2004107920.tif 000005
【図４】
2004107920.tif 000006